(57)【要約】    【課題】  入力電圧に応じて、過電流保護の動作点を所望の範囲内で推移させることが可能なスイッチング電源装置を提供する。    【解決手段】  入力電圧ＶｉｎをＡＣ０Ｖから次第に上昇させると、オペアンプ30の非反転入力端子には、分圧電圧Ｖｄが入力されるが、ＡＣ０Ｖ＜Ｖｉｎ＜Ｖ１の区間においては、ツェナー電圧Ｖｚ１で決まる電圧がオペアンプ30の出力電圧である設定電圧Ｖｒｅｆとなる。Ｖ１≦Ｖｉｎ＜Ｖ２の区間においては、分圧電圧Ｖｄがツェナー電圧Ｖｚ１を上回り、設定電圧Ｖｒｅｆは入力電圧Ｖｉｎに比例して増減する。入力電圧Ｖｉｎが第２の基準電圧Ｖ２に達すると、抵抗27，28の直列抵抗電圧はツェナーダイオード26によりツェナー電圧Ｖｚ２の電圧値でクランプされる。過電流保護の動作点は設定電圧Ｖｒｅｆを基に設定される。【選択図】  図２
2006217695.tif 000002
【特許請求の範囲】
【請求項１】
入力電圧に応じて過電流保護の動作点を高低させる動作点可変手段と、第１の基準値からの前記動作点の下降を抑制する下限手段と、第２の基準値からの前記動作点の上昇を抑制する上限手段とを備えたことを特徴とするスイッチング電源装置。
【請求項２】
前記動作点可変手段は前記動作点の設定電圧を入力電圧に応じて増減させるものであり、前記下限手段は第１の基準値を有する定電圧を生成して前記設定電圧とするものであり、前記上限手段は前記設定電圧の第２の基準値からの上昇を抑制する定電圧素子であることを特徴とする請求項１記載のスイッチング電源装置。
【請求項３】
前記下限手段及び／又は前記上限手段により規定される前記動作点の下限値及び／又は上限値を前記入力電圧に応じて調整する限界値調整手段を備えたことを特徴とする請求項１又は請求項２記載のスイッチング電源装置。
【発明の詳細な説明】
【技術分野】
【０００１】
本発明は、過電流保護機能を備えたスイッチング電源装置に関する。
【背景技術】
【０００２】
従来、例えば出力短絡などに伴う出力過電流から電源又は負荷を保護する過電流保護回路を備えたスイッチング電源装置がある。過電流保護回路では、出力電流が予め設定したＯＣＰ点（過電流保護の動作点）に達すると、定電流垂下特性やスイッチバック特性（フの字特性）などで出力電圧及び出力電流を制御する。過電流保護回路のＯＣＰ点は、スイッチング電源の定格仕様に応じて設定されるが、入力電圧の大小により変化することが知られている。
【０００３】
例えば、特許文献１に開示されるスイッチング電源装置では、予め設定したＯＣＰ点が入力電圧の変動に比例して変動することによるスイッチング素子の破壊という課題を解決するため、入力電圧の差による動作点の差を補正して、ＯＣＰ点ができるだけ一定になるように構成されている。
【０００４】
ところで、これらのスイッチング電源装置において、ＡＣ２００Ｖ入力系では出力電流Ｉｏ２が大きくなり、ＡＣ１００Ｖ入力系では出力電流Ｉｏ１が小さくなる様な仕様のものがある。このような２入力系のスイッチング電源装置では、通常であれば、ＯＣＰ点は、どちらかの出力電流の大きい方に設定される。
【特許文献１】特開平７−７９４３号公報
【発明の開示】
【発明が解決しようとする課題】
【０００５】
しかし、前述のような入力条件等によって出力電流等の定格が変わるスイッチング電源装置において、上記特許文献１のようにＯＣＰ点が一定になるものでは、２００Ｖ系の負荷に合わせＯＣＰ点を決める必要がある。しかし、ＡＣ１００Ｖ系の仕様に対しては、定格電流に対しＯＣＰ動作点が遠くなり、スイッチング電源装置の保護としてはそれに合わせて、使用デバイスの耐量を上げる必要がある。そのため、耐量が低い安価なデバイスを使用するには、入力条件等に合わせて過電流等の条件も変化させる必要がある。
【０００６】
一方、ＯＣＰ点が入力電圧の変動に比例して変動するものでは、スイッチング電源の定格仕様に対して適切にＯＣＰ点を設定することができず、当該過電流保護動作が安定しないという問題がある。すなわち、入力電圧が一時的に高くなると、それに比例してＯＣＰ点が過度に高くなってしまい、安全な領域で過電流保護回路が機能せず、使用デバイスが破壊される虞がある。反対に、入力電圧が一時的に低くなると、それに比例してＯＣＰ点が過度に低くなってしまい、負荷変動による出力電流の僅かな増加でも過電流保護回路が機能し、スイッチング電源装置の出力が安定して得られなくなる虞がある。
【０００７】
そこで本発明は上記問題点に鑑み、入力電圧に応じて、過電流保護の動作点を所望の範囲内で推移させることが可能なスイッチング電源装置を提供することを目的とする。
【課題を解決するための手段】
【０００８】
本発明における請求項１のスイッチング電源装置では、入力電圧に応じて過電流保護の動作点を高低させる動作点可変手段と、第１の基準値からの前記動作点の下降を抑制する下限手段と、第２の基準値からの前記動作点の上昇を抑制する上限手段とを備えている。
【０００９】
このようにすると、過電流保護の動作点を一定値ではなく変化させることができるため、低入力電圧時に、過負荷状態での過大な負荷電流が制限され、使用部品に対するストレスを緩和できる。また、ＯＣＰ点を所望の範囲内で変動させることができるため、入力電圧が大きく増減しても、ＯＣＰ点が過度に変動することがなく、安全動作領域内で過電流保護を機能させることができると共に、スイッチング電源装置の出力を安定させることができる。
【００１０】
本発明における請求項２のスイッチング電源装置では、前記動作点可変手段は前記動作点の設定電圧を入力電圧に応じて増減させるものであり、前記下限手段は第１の基準値を有する定電圧を生成して前記設定電圧とするものであり、前記上限手段は前記設定電圧の第２の基準値からの上昇を抑制する定電圧素子である。
【００１１】
このようにすると、動作点可変手段により増減される動作点の設定電圧が、下限側においては、動作点可変手段が設定電圧を第１の基準値より低くしても、下限手段により第１の基準値を有する定電圧が設定電圧として供給され、上限側においては、定電圧素子により第２の基準値にクランプされるため、簡単な構成で過電流保護の動作点を所望の範囲内で変化させることができる。
【００１２】
本発明における請求項３のスイッチング電源装置では、前記下限手段及び／又は前記上限手段により規定される前記動作点の下限値及び／又は上限値を前記入力電圧に応じて調整する限界値調整手段を備えている。
【００１３】
このようにすると、過電流保護の動作点を、第１の基準値から第２の基準値までの範囲外においても一定値ではなく変化させることができるため、入力条件等に合わせて過電流等の条件をきめ細かく変化させることができ、動作点が前記範囲外となるような入力条件等でも使用部品に対するストレスを緩和できる。
【発明の効果】
【００１４】
本発明の請求項１によると、最悪条件で選定していた使用部品を、適正条件で選定することができ、小型化が可能となる。
【００１５】
本発明の請求項２によると、簡単な構成で過電流保護の動作点を所望の範囲内で変化させることができる。
【００１６】
本発明の請求項３によると、入力条件等に応じて変化する使用部品の選定条件を緩和させることができる。
【発明を実施するための最良の形態】
【００１７】
以下、添付図面を参照しながら、本発明におけるスイッチング電源装置の好ましい各実施例を説明する。
【実施例１】
【００１８】
図１は本実施例におけるスイッチング電源装置の回路図を模式的に示したものである。同図において、２は例えば商用電源などの交流入力電源であり、スイッチング電源装置１の一対の入力端子３，４に接続されている。５はダイオードブリッジであり、ＰＦＣ回路６に接続される。一対の入力端子３，４を介して交流入力電源２から供給される入力電圧Ｖｉｎは、ダイオードブリッジ５で全波整流され、ＰＦＣ回路６で力率改善されることで、直流電圧に変換される。７は入力側と出力側とを絶縁するトランスで、一次巻線７ａの一端にはＰＦＣ回路６が接続され、他端にはＭＯＳ型ＦＥＴからなるスイッチング素子10のドレインが接続される。スイッチング素子10のソースは、例えばカレントトランスなどの電流検出回路13を介してダイオードブリッジ５と接続され、ゲートはスイッチング素子10のオン・オフ動作（スイッチング動作）を制御する例えばＰＷＭ制御ＩＣなどのスイッチング制御回路11と接続される。
【００１９】
ダイオードブリッジ５，ＰＦＣ回路６により変換された直流電圧ライン間には、ＯＣＰ点可変回路12が挿入されており、このＯＣＰ点可変回路12が過電流保護の動作点を設定する設定電圧をスイッチング制御回路11に出力する。なお、本実施例では、電流検出回路13を一次側に設けて、一次側の過電流を検出しているが、二次側に設けて負荷電流を直接検出してもよい。
【００２０】
また、トランス７の二次側である二次巻線７ｂには、整流平滑回路15や一対の出力端子16，17が設けられ、該一対の出力端子16，17から出力電圧が取り出される。その他、出力電圧を安定化させる帰還ループとして、出力電圧検出回路18が設けられ、出力電圧検出回路18から出力電圧のフィードバック信号がスイッチング制御回路11に送られる。スイッチング制御回路11では、該フィードバック信号に基づき、スイッチング素子10のゲートへ入力するパルスを周知のＰＷＭ制御（パルス幅制御）することで、出力電圧の安定化を図るようにしている。
【００２１】
図２は、ＯＣＰ点可変回路12の詳細を示す回路図である。ダイオードブリッジ５の直流電圧ラインの正極側５ａのＰＦＣ回路６後段には、入力電圧Ｖｉｎの実効値検出用の抵抗20，21が接続されており、一方、ダイオードブリッジ５の直流電圧ラインの負極側５ｂは接地され、接地ラインが形成される。抵抗20と抵抗21との接続点と接地ラインとの間には、入力電圧Ｖｉｎのピーク値検出用のコンデンサ22が接続される。コンデンサ22の前段に抵抗20を設けているのは、コンデンサ22の耐圧を低くできるためである。
【００２２】
また、コンデンサ22と並列接続となるように、前記抵抗21と、抵抗27，28とからなる直列回路が接続されるが、これら抵抗21，27，28の抵抗値は、Ｖ１＜Ｖ２（Ｖ１は第１の基準電圧、Ｖ２は第２の基準電圧である）の関係にある時、入力電圧Ｖｉｎが０Ｖ＜Ｖｉｎ＜Ｖ１までは、後述するツェナーダイオード24のツェナー電圧Ｖｚ１が、入力電圧Ｖｉｎ（コンデンサ22の両端間電圧）を抵抗21，27，28により分圧した電圧である抵抗28の両端間に発生する分圧電圧Ｖｄより高くなるように、抵抗21，27，28の分圧比が決められている。また、Ｖ２≦Ｖｉｎでは、抵抗28ひいては抵抗27，28の両端間電圧が後述するツェナーダイオード26のツェナー電圧Ｖｚ２にクランプされるように抵抗21，27，28の値が決められている。
【００２３】
上限手段としてのツェナーダイオード26は、カソードが抵抗21と抵抗27との接続点側、アノードが接地ライン側となるよう接続される。抵抗27と抵抗28との接続点には、ダイオード25のカソードが接続され、ダイオード25のアノードには、抵抗23の一端と下限手段としてのツェナーダイオード24のカソードが接続される。抵抗23の他端には、ツェナーダイオード24のツェナー電圧Ｖｚ１より高い所定の電源電圧Ｖｃｃが印加され、ツェナーダイオード24のアノードは接地される。すなわち、ツェナーダイオード24のアノードには、常にツェナー電圧Ｖｚ１が印加されることとなる。また、抵抗27と抵抗28との接続点には、オペアンプ30の非反転入力端子が接続され、オペアンプ30の出力端子は、スイッチング制御回路11に接続されている。オペアンプ30の反転入力端子は、当該出力端子に直接接続されており、ゲインが１となるよう負帰還がかけられている。すなわち、オペアンプ30は、出力バッファとして機能している。
【００２４】
次に、本実施例におけるスイッチング電源装置の作用について、図１及び図２を参照しながら説明する。
【００２５】
トランス７の一次巻線７ａに接続されたスイッチング素子10は、ゲートにスイッチング制御回路11からパルス波形が入力されることで、スイッチング動作を行う。すなわちスイッチング素子10のゲートにＨレベルが入力されるとターンオンし、Ｌレベルが入力されるとターンオフする。スイッチング素子10がオン・オフ動作すると、一次巻線７ａに直流電圧が断続的に印加され、トランス７の二次巻線７ｂに電圧が誘起され、整流平滑15により整流平滑されることで出力電圧となる。このとき、スイッチング制御回路11は、出力電圧検出回路18から送られるフィードバック信号に基づき周知のＰＷＭ制御を行ないながらパルスを出力する。すなわち、出力電圧を安定させるためスイッチング素子10のゲートに入力するパルスの導通幅を増減させながら、周期的にパルスを出力する。また、スイッチング制御回路11は、電流検出回路13により検出された一次側電流を監視すると共に、ＯＣＰ点可変回路12から出力される設定電圧Ｖｒｅｆを基にＯＣＰ点を設定する。
【００２６】
ここで、図３を参照しながらＯＣＰ点可変回路12の作用について詳述する。なお、ダイオード25の順方向降下電圧は説明の都合上考慮していない。
【００２７】
入力電圧ＶｉｎをＡＣ０Ｖから次第に上昇させると、オペアンプ30の非反転入力端子には、抵抗28の両端間に発生する分圧電圧Ｖｄが入力されるが、ＡＣ０Ｖ＜Ｖｉｎ＜Ｖ１の区間においては、分圧電圧Ｖｄよりツェナー電圧Ｖｚ１が高くなる様に抵抗20，21，27，28を設定すると、この間はツェナー電圧Ｖｚ１で決まる電圧がオペアンプ30の出力電圧である設定電圧Ｖｒｅｆとなる。すなわち、このツェナー電圧Ｖｚ１が設定電圧ＶｒｅｆひいてはＯＣＰ動作点の下限を規定する第１の基準値を決定する。
【００２８】
Ｖ１≦Ｖｉｎ＜Ｖ２の区間においては、分圧電圧Ｖｄがツェナー電圧Ｖｚ１を上回る様に上記抵抗20，21，27，28を設定することで、この分圧電圧Ｖｄが設定電圧Ｖｒｅｆとなる。この区間では、設定電圧Ｖｒｅｆは分圧電圧Ｖｄひいては入力電圧Ｖｉｎに比例して増減する。従って、入力電圧Ｖｉｎに比例して分圧電圧Ｖｄを増減させる抵抗21，27，28が本実施例における動作点可変手段に相当する。
【００２９】
入力電圧Ｖｉｎが第２の基準電圧Ｖ２に達すると、抵抗27，28の直列抵抗電圧がツェナーダイオード26のツェナー電圧Ｖｚ２より高くなる様に設定されている為、当該直列抵抗電圧はツェナーダイオード26によりツェナー電圧Ｖｚ２の電圧値でクランプされる。従って、Ｖ２≦Ｖｉｎの区間では、ツェナー電圧Ｖｚ２を抵抗27，28で分圧したものが分圧電圧Ｖｄとなり、この電圧で設定電圧Ｖｒｅｆが決まる。すなわち、このツェナー電圧Ｖｚ２が設定電圧ＶｒｅｆひいてはＯＣＰ動作点の上限を規定する第２の基準値を決定する。
【００３０】
そして、例えば出力短絡などの負荷急変により過電流が発生し、１次側電流が設定電圧Ｖｒｅｆにより設定されたＯＣＰ点に達すると、スイッチング制御回路11は、例えば定電流垂下特性やスイッチバック特性などの周知の制御方法で出力電圧及び出力電流を制御する。ＯＣＰ点は、ＯＣＰ点可変回路12により入力電圧Ｖｉｎに応じて変化されるため、例えばＡＣ１００Ｖ，ＡＣ２００Ｖを定格とする２入力系のスイッチング電源装置においても、低入力電圧時に、過負荷状態での過大な負荷電流が制限され、使用部品に対するストレスを緩和できる。また、ＯＣＰ点可変回路12にツェナーダイオード24，26という簡単な構成を設けるだけで、ＯＣＰ点の変動を所望の範囲内に制限することができるため、入力電圧Ｖｉｎが大きく増減しても、ＯＣＰ点が過度に変動することがなく、安全動作領域内で過電流保護を機能させることができると共に、スイッチング電源装置１の出力を安定させることができる。
【００３１】
以上のように本実施例のスイッチング電源装置１では、入力電圧Ｖｉｎに応じて過電流保護の動作点を高低させる動作点可変手段としての抵抗21，27，28と、第１の基準値に相当するツェナー電圧Ｖｚ１からの前記動作点の下降を抑制する下限手段としてのツェナーダイオード24と、第２の基準値に相当するツェナー電圧Ｖｚ２からの前記動作点の上昇を抑制する上限手段としてのツェナーダイオード26とを備えている。
【００３２】
このようにすると、過電流保護の動作点を一定値ではなく変化させることができるため、低入力電圧時に、過負荷状態での過大な負荷電流が制限され、使用部品に対するストレス、また特に前段にＰＦＣ等のアクティブフィルタ等を使用している場合にも、ＰＦＣの部品ストレスを緩和でき、また、ＯＣＰ点を所望の範囲内で変動させることができるため、入力電圧Ｖｉｎが大きく増減しても、ＯＣＰ点が過度に変動することがなく、安全動作領域内で過電流保護を機能させることができると共に、スイッチング電源装置１の出力を安定させることができる。以上より、最悪条件で選定していた部品を、適正条件で選定することができ、小型化が可能となる。また、安全動作領域内で過電流保護を機能させることができると共に、スイッチング電源装置１の出力を安定させることができる。
【００３３】
また本実施例のスイッチング電源装置１では、前記動作点可変手段は前記動作点の設定電圧Ｖｒｅｆを入力電圧Ｖｉｎに応じて増減させる抵抗21，27，28であり、前記下限手段は定電圧であるツェナー電圧Ｖｚ１を生成して前記設定電圧Ｖｒｅｆとするツェナーダイオード24であり、前記上限手段は前記設定電圧Ｖｒｅｆのツェナー電圧Ｖｚ２からの上昇を抑制する定電圧素子としてのツェナーダイオード26である。
【００３４】
このようにすると、抵抗21，27，28により増減される動作点の設定電圧Ｖｒｅｆが、下限側においては、抵抗21，27，28が設定電圧Ｖｒｅｆをツェナー電圧Ｖｚ１より低くしても、ツェナーダイオード24によりツェナー電圧Ｖｚ１が設定電圧Ｖｒｅｆとして供給され、上限側においては、ツェナーダイオード26によりツェナー電圧Ｖｚ２にクランプされるため、簡単な構成で過電流保護の動作点を所望の範囲内で変化させることができる。従って、簡単な構成で過電流保護の動作点を所望の範囲内で変化させることができる。
【実施例２】
【００３５】
以下、図４乃至図６を参照しながら、本発明におけるスイッチング電源の好ましい第２実施例を説明する。なお、第１実施例と同一箇所には同一符号を付し、共通する部分の説明は重複するため極力省略する。
【００３６】
本実施例では、図４に示すように、可変抵抗35と抵抗値調整手段36とからなる限界値調整手段40が設けられている。すなわち、可変抵抗35がダイオード25のカソード（又は抵抗27）と抵抗28（又はオペアンプ30の非反転入力端子）との間に挿入されると共に、抵抗値調整手段36がダイオードブリッジ５，ＰＦＣ回路６により変換された直流電圧ライン間に接続されており、抵抗値調整手段36により可変抵抗35の抵抗値を入力電圧Ｖｉｎに応じて変化させるよう構成している。限界値調整手段40の具体的構成としては、例えば、可変抵抗35をバイポーラトランジスタとし、抵抗値調整手段36にはオペアンプや抵抗などを用いて、入力電圧Ｖｉｎに応じて前記トランジスタのベース電圧を調整して、抵抗28に流れ込む電流を制御するよう構成すればよい。
【００３７】
また、抵抗21，27，28，及び可変抵抗35の抵抗値は、Ｖ１＜Ｖ２（Ｖ１は第１の基準電圧、Ｖ２は第２の基準電圧である）の関係にある時、入力電圧Ｖｉｎが０Ｖ＜Ｖｉｎ＜Ｖ１までは、ツェナーダイオード24のツェナー電圧Ｖｚ１が、入力電圧Ｖｉｎ（コンデンサ22の両端間電圧）を、抵抗21，27と、抵抗28と可変抵抗35の合成抵抗とにより分圧した電圧である、抵抗28と可変抵抗35の直列回路の両端間に発生する電圧Ｖｄ２より高くなるように、抵抗21，27，28，及び可変抵抗35の分圧比が決められている。また、Ｖ２≦Ｖｉｎでは、抵抗28ひいては抵抗27，28と可変抵抗35の直列回路の両端間電圧がツェナーダイオード26のツェナー電圧Ｖｚ２にクランプされるように抵抗21，27，28，及び可変抵抗35の値が決められている。
【００３８】
次に、本実施例におけるスイッチング電源装置の作用について説明する。
【００３９】
トランス７の一次巻線７ａに接続されたスイッチング素子10は、ゲートにスイッチング制御回路11からパルス波形が入力されることで、スイッチング動作を行う。スイッチング素子10がオン・オフ動作すると、一次巻線７ａに直流電圧が断続的に印加され、トランス７の二次巻線７ｂに電圧が誘起され、整流平滑15により整流平滑されることで出力電圧となる。このとき、スイッチング制御回路11は、出力電圧検出回路18から送られるフィードバック信号に基づき周知のＰＷＭ制御を行ないながらパルスを出力する。また、スイッチング制御回路11は、電流検出回路13により検出された一次側電流を監視すると共に、ＯＣＰ点可変回路12から出力される設定電圧Ｖｒｅｆを基にＯＣＰ点を設定する。
【００４０】
ここで、図５及び図６を参照しながらＯＣＰ点可変回路12の作用について詳述する。図５は、入力電圧Ｖｉｎに対するダイオードブリッジ５，ＰＦＣ回路６により変換された直流電圧を示すグラフである。図６は、入力電圧Ｖｉｎに対する各種電圧を示すグラフであり、50はツェナー電圧Ｖｚ１、51は電圧Ｖｄ２、52は分圧電圧Ｖｄ（又は設定電圧Ｖｒｅｆ）をそれぞれ示している。
【００４１】
入力電圧ＶｉｎをＡＣ０Ｖから次第に上昇させると、オペアンプ30の非反転入力端子には、電圧Ｖｄ２を可変抵抗35と抵抗28とにより分圧した電圧である分圧電圧Ｖｄが入力される。ＡＣ０Ｖ＜Ｖｉｎ＜Ｖ１の区間においては、電圧Ｖｄ２よりツェナー電圧Ｖｚ１が高くなるので、この間はツェナー電圧Ｖｚ１がそのまま電圧Ｖｄ２となる。オペアンプ30の出力電圧である設定電圧Ｖｒｅｆは、分圧電圧Ｖｄにより決定されるため、可変抵抗35の抵抗値を変化させることにより、当該分圧比に従って分圧電圧Ｖｄひいては設定電圧Ｖｒｅｆを変化させることができる。とりわけ、本実施例では、低電圧時に定格電流に対しＯＣＰ動作点が遠くなりすぎないように、入力電圧Ｖｉｎの減少に従い設定電圧Ｖｒｅｆが減少するように可変抵抗35の抵抗値を変化させている。なお、入力電圧Ｖｉｎの増減に応じて設定電圧Ｖｒｅｆを増減させる方向は特に限定されるものではなく、例えば、入力電圧Ｖｉｎに減少に従い設定電圧Ｖｒｅｆを増加させるように可変抵抗35の抵抗値を変化させてもよい。
【００４２】
Ｖ１≦Ｖｉｎ＜Ｖ２の区間においては、電圧Ｖｄ２がツェナー電圧Ｖｚ１を上回り、電圧Ｖｄ２を分圧した分圧電圧Ｖｄが設定電圧Ｖｒｅｆとなる。この区間では、設定電圧Ｖｒｅｆは分圧電圧Ｖｄひいては入力電圧Ｖｉｎに比例して増減する。従って、入力電圧Ｖｉｎに比例して分圧電圧Ｖｄを増減させる抵抗21，27，28（可変抵抗35の抵抗分も含む）が本実施例における動作点可変手段に相当する。入力電圧Ｖｉｎが第２の基準電圧Ｖ２に達すると、抵抗27，28と可変抵抗35の直列抵抗電圧がツェナーダイオード26のツェナー電圧Ｖｚ２より高くなるため、当該直列抵抗電圧はツェナーダイオード26によりツェナー電圧Ｖｚ２の電圧値でクランプされる。従って、Ｖ２≦Ｖｉｎの区間では、ツェナー電圧Ｖｚ２を抵抗27と可変抵抗35の合成抵抗と、抵抗28とで分圧したものが分圧電圧Ｖｄとなり、この電圧で設定電圧Ｖｒｅｆが決まる。ここでも、ＡＣ０Ｖ＜Ｖｉｎ＜Ｖ１の区間と同様に、可変抵抗35の抵抗値を変化させることにより、当該分圧比に従って分圧電圧Ｖｄひいては設定電圧Ｖｒｅｆを変化させることができる。
【００４３】
本実施例では限界値調整手段40を設けることにより、設定電圧Ｖｒｅｆが、設定電圧ＶｒｅｆひいてはＯＣＰ点の下限値を規定するツェナー電圧Ｖｚ１や、上限値を規定するツェナー電圧Ｖｚ２により固定された状態（一定値）となっても、限界値調整手段40によりＯＣＰ点の下限値や上限値を調整することが可能となる。とりわけ、本実施例においては、ツェナーダイオード24により規定される設定電圧ＶｒｅｆひいてはＯＣＰ点の下限値や上限値を、入力電圧Ｖｉｎに応じて調整するよう構成することで、ＯＣＰ点を、ツェナー電圧Ｖｚ１からツェナー電圧Ｖｚ２までの範囲外においても一定値ではなく変化させることができるため、入力条件等に合わせて過電流等の条件をきめ細かく変化させることができ、ＯＣＰ点が前記範囲外となるような入力条件等でも使用部品に対するストレスを緩和できる。入力条件等に応じて変化する使用部品の選定条件を緩和させることができる。
【００４４】
そして、例えば出力短絡などの負荷急変により過電流が発生し、１次側電流が設定電圧Ｖｒｅｆにより設定されたＯＣＰ点に達すると、スイッチング制御回路11は、例えば定電流垂下特性やスイッチバック特性などの周知の制御方法で出力電圧及び出力電流を制御する。
【００４５】
以上のように本実施例のスイッチング電源装置１では、ツェナーダイオード24及び／又はツェナーダイオード26により規定されるＯＣＰ点の下限値及び／又は上限値を入力電圧Ｖｉｎに応じて調整する限界値調整手段40を備えている。
【００４６】
このようにすると、ＯＣＰ点を、ツェナー電圧Ｖｚ１からツェナー電圧Ｖｚ２までの範囲外においても一定値ではなく変化させることができるため、入力条件等に合わせて過電流等の条件をきめ細かく変化させることができ、ＯＣＰ点が前記範囲外となるような入力条件等でも使用部品に対するストレスを緩和できる。従って、入力条件等に応じて変化する使用部品の選定条件を緩和させることができる。
【００４７】
なお、本発明は、上記実施例に限定されるものではなく、本発明の趣旨を逸脱しない範囲で変更可能である。オペアンプ30の出力段にフィルタをつけて瞬間的な変動を抑制したり、減算器などで波形を反転させたりするなどして波形整形してもよい。また、ＯＣＰ点可変回路12を１つのＩＣ（集積回路）などで構成してもよい。
【図面の簡単な説明】
【００４８】
【図１】本発明の第１実施例におけるスイッチング電源の概要構成を示すブロック図である。
【図２】同上、スイッチング電源が備えるＯＣＰ点可変回路の構成を示す回路図である。
【図３】同上、入力電圧Ｖｉｎに対する設定電圧Ｖｒｅｆの変化を示す波形図である。
【図４】本発明の第２実施例におけるスイッチング電源が備えるＯＣＰ点可変回路の構成を示す回路図である。
【図５】同上、入力電圧Ｖｉｎの変化を示す波形図である。
【図６】同上、入力電圧Ｖｉｎに対する各点の電圧変化を示す波形図である。
【符号の説明】
【００４９】
１  スイッチング電源装置
21  抵抗（動作点可変手段）
24  ツェナーダイオード（下限手段）
26  ツェナーダイオード（上限手段）
27，28  抵抗（動作点可変手段）
40  限界値調整手段
【図１】
2006217695.tif 000003
【図２】
2006217695.tif 000004
【図３】
2006217695.tif 000005
【図４】
2006217695.tif 000006
【図５】
2006217695.tif 000007
【図６】
2006217695.tif 000008